(57)【要約】  【課題】多種類の表示体を容易に取り替えることができ、表裏の両面が利用可能な額を、居住空間の限られた室内において場所をとらずに提供する。  【解決手段】襖、衝立、パネル等建具１の平面任意個所に設けた開口部に取付けられた鉄板２と、前記鉄板２を建具１に固定するための固定部材３と、および、写真や絵画等の作品である表示体４の裏面に固定される磁石６と、を備え、前記表示体４を、前記磁石６を介して前記鉄板２の表裏いずれの面にも装着可能とする。【選択図】図２
2005264617.tif 000002
【特許請求の範囲】
【請求項１】
襖、衝立、パネル等建具の平面任意個所に設けた開口部に取付けられた鉄板と、
前記鉄板を建具に固定するための固定部材と、および、
写真や絵画等の作品である表示体の裏面に固定される磁石と、を備え、
前記表示体を、前記磁石を介して前記鉄板の表裏いずれの面にも装着可能にしたことを特徴とする額付き建具。
【請求項２】
前記鉄板の表面に装飾部材を装着したことを特徴とする請求項１記載の額付き建具。
【請求項３】
前記鉄板に装着された表示体の上から、裏面に磁石を固定した透明シートを被せ、前記磁石で固定したことを特徴とする請求項１又は２記載の額付き建具。
【請求項４】
前記建具の開口部の四隅に差込み口を設け、前記鉄板に装着された表示体の上から、透明シートを被せ、透明シートの端部を前記差し込み口に差込み固定したことを特徴とする請求項１又は２記載の額付き建具。
【請求項５】
前記建具は紙製または木製であることを特徴とする請求項１乃至４のうちいずれか一つに記載の額付き建具。
【発明の詳細な説明】
【技術分野】
【０００１】
本発明は、襖、衝立、パネル（以下、ここでは総称して「建具」という。）に額を設けた額付き建具に関するものである。
【背景技術】
【０００２】
従来、写真や絵画等の作品（以下、「表示体」という。）を飾るための一般的な額は、裏板を取り外して表示体の取り替えを行い、また吊り金具等を用いて部屋の壁や鴨居部分に設置していた。また、建具に表示体を掲示するものとして、襖において、芯材に磁石を埋設し絵柄を描いたプリントベニヤ板にスチール薄板を設けることにより４種類の絵柄を差し替えることができるようにしたものが存在する（例えば、特許文献１参照）。さらに、屏風において、中心材の表面に極薄の鉄箔を貼着し、磁石を用いたＬ字型止め具により表示体を挟み込み、随時取り替えることができるようにしたものが存在する（例えば、特許文献２参照）。
【特許文献１】実開平３−４１０９３号
【特許文献２】実用新案登録第３０７６０５７号
【発明の開示】
【発明が解決しようとする課題】
【０００３】
従来の一般的な額は、表示体を表示する側の透明板と、表示体を押さえつけて固定する裏板から構成されており、取り替えが煩雑で、表示体が額の内側でずれるという問題があり、また表裏両面を利用することはできない。また、吊り金具等を用いて部屋の壁や鴨居部分に設置する必要があるため、表示体の取り替え時には額自体を壁や鴨居から取り外すという作業が必要である。さらにマンション等においては居住空間が限られ、額を設置するためのスペースがとれないという問題もある。
【０００４】
一方、芯材に磁石を埋設し絵柄を描いたプリントベニヤ板にスチール薄板を設けることにより４種類の絵柄を差し替えることができるようにした襖（特許文献１）においては、表示できる絵柄が事前にプリントした４種類に限られ、写真等の多種類の表示体を表示することはできない。また、中心材の表面に極薄の鉄箔を貼着し、磁石を用いたＬ字型止め具により表示体を挟み込み、随時取り替えることができるようにした屏風（特許文献２）においては、屏風自体の置き場所が必要となるため、居住空間が限られたマンション等においては設置スペースがとれない場合も多い。
【０００５】
そこで本発明は、多種類の表示体を容易に取り替えることができ、表裏の両面が利用可能な額を、居住空間の限られた室内において場所をとらずに提供することを目的とする。
【課題を解決するための手段】
【０００６】
上記の目的を達成するために請求項１に係る発明の額付き建具は、襖、衝立、パネル等建具（１）の平面任意個所に設けた開口部に取付けられた鉄板（２）と、前記鉄板（２）を建具（１）に固定するための固定部材（３）と、および、写真や絵画等の作品である表示体（４）の裏面に固定される磁石（６）と、を備え、前記表示体（４）を、前記磁石（６）を介して前記鉄板（２）の表裏いずれの面にも装着可能にしたことを特徴とする。
【０００７】
また、請求項２に係る発明は、請求項１に記載の発明において、前記鉄板（２）の表面に装飾部材（８）を装着したことを特徴とする。
【０００８】
また、請求項３に係る発明は、請求項１又は２に記載の発明において、前記鉄板（２）に装着された表示体（４）の上から、裏面に磁石（７）を固定した透明シート（５）を被せ、前記磁石（７）で固定したことを特徴とする。
【０００９】
また、請求項４に係る発明は、請求項１又は２に記載の発明において、前記建具（１）の開口部の四隅に差込み口（９）を設け、前記鉄板（２）に装着された表示体（４）の上から、透明シート（５）を被せ、透明シートの（５）端部を前記差込み口（９）に差込み固定したことを特徴とする。
【００１０】
また、請求項５に係る発明は、請求項１乃至４のうちいずれか一つに記載の発明において、前記建具（１）は紙製または木製であることを特徴とする。
【００１１】
なお、括弧内の記号は、発明を実施するための最良の形態および図面に記載された対応要素または対応事項を示す。
【発明の効果】
【００１２】
請求項１に記載の発明によれば、表示体の裏面に固定された磁石は建具の開口部に取付けられた鉄板に吸着されるため、新たな表示体の裏面に磁石を固定するだけで表示体の取り替えを額の表側から容易に行うことができる。また表示体は磁石が固定できるものであれば、額の大きさに合わせて写真、絵画、絵はがき等自由に選択することができる。特にデジタルカメラの普及により家庭内で気軽に写真を印刷する機会が増えたことから、頻繁に表示体を取り替える場合も多く、効果を発揮する。
【００１３】
更に、本発明は、額を建具の開口部に取付けたことから、従来のように壁や鴨居に額を設置する必要がないため、特に新たな場所を要することなく室内において表示体を表示することができる。従って、特にマンション等においては限られた居住空間を有効活用することができる。
【００１４】
更に、額は鴨居に設置する場合と異なり、建具のすぐに手の届く高さに配置されるため掃除が容易であり、従来のように額に埃が積もることを防ぐことができる。
【００１５】
更に、建具の開口部に取付けた鉄板の表裏は同様の構成となっているので、鉄板の両面に表示体を表示することができる。本発明を部屋と部屋とを仕切る襖等に用いる場合には、各部屋の雰囲気に合わせて別々の表示体を表示することができる。
【００１６】
また、請求項２に記載の発明によれば、請求項１に記載の発明の作用効果に加えて、前記鉄板の表面に紙又は布地の装飾部材を装着することにより、和室や洋室等の使用場所に応じて表示体の背景を変更し美観を高めることができる。
【００１７】
また、請求項３に記載の発明によれば、請求項１又は２に記載の発明の作用効果に加えて、表示体の上から透明シートを被せることにより表示体の損傷や反り返りを防止することができる。ここで、前記透明シートも表示体と同様に裏面に固定された磁石により鉄板に吸着されるので脱着容易であり、表示体の取替えの妨げになることはない。
【００１８】
また、請求項４に記載の発明によれば、請求項１又は２に記載の発明の作用効果に加えて、表示体の上から透明シートを被せることにより表示体の損傷や反り返りを防止することができる。ここで、前記透明シートは、端部を前記建具の開口部の四隅に設けた差し込み口に差込むことにより固定されるので脱着容易であり、表示体の取替えの妨げになることはない。
【００１９】
また、請求項５に記載の発明によれば、請求項１乃至４に記載の発明の作用効果に加えて、襖のように磁石が吸着しない紙又は木製の部材により構成される建具等であっても、磁石を用いて表示体を表示することが可能となる。従って、従来スチール製パネル等の磁石を吸着する部材で構成される建具でなければできなかった磁石を用いた表示体の表示を、襖等においても行うことができる。
【発明を実施するための最良の形態】
【００２０】
図１及び図２を参照して、本発明の実施形態に係る額付き建具について説明する。図１は本発明の実施形態に係る額付き建具の斜視図であり、図２は図１のＡ−Ａ線拡大断面図である。なお、ここでは建具のうち襖について説明する。
【００２１】
建具１には開口部が設けられ、該開口部に嵌合するように鉄板２が取付けられている。鉄板２は図２に示すように建具１の厚みの中心部分に配置されており、鉄板２を表裏から挟み込むようにして2枚の装飾部材８が装着されている。この装飾部材８は表示体４と鉄板２の間に位置することとなるため、表示体４と鉄板２との磁石による吸着を弱めないように薄手の紙製や薄手の布製の部材を用いることが望ましい。
【００２２】
鉄板２と装飾部材８は、断面略Ｌ字形で矩形状の２つの固定部材３により建具１の表裏から挟み込まれて固定される。さらに固定部材３と建具１の開口部は釘または接着剤により強固に固定される。この固定部材３は通常の額における額縁の位置にあり、建具の種類に応じて材質やデザインを変更し美観を高めることが可能である。
【００２３】
写真等の表示体４の裏面の適当な位置には磁石６を固定し、鉄板２に吸着可能とする。さらに、表示体４の上から被せる透明シート５についても裏面の適当な位置に磁石７を固定し、鉄板２に吸着可能とする。ここで磁石６、磁石７は表示体４を美しく表示するために、できるだけ薄い板状の磁石を両面テープ等により表示体４および透明シート５の裏面に固定することが望ましい。また透明シート５は磁石による鉄板２への吸着力を考慮して額から落ちないようにアクリル板などの軽量な部材を用いることが望ましい。
【００２４】
本発明の実施形態に係る額付き建具は、次のように使用する。
まず、表示したい表示体４の裏面の適当な位置に両面テープ等を用いて磁石６を固定する。そして、鉄板２の適当な位置に表示体４を磁力により吸着させ表示する。このように表示体４の裏面に磁石６を固定するだけで表示体の取り替えを額の表側から容易に行うことができる。また、表示体４は磁石６が固定できるものであれば、額の大きさに合わせて写真、絵画、絵はがき等自由に選択することができる。特にデジタルカメラの普及により家庭内で気軽に写真を印刷する機会が増えたことから、ちょっとしたスナップ写真を飾るスペースとして利用できる。更には冷蔵庫等の表面に一時的にとめておくことの多いメモ書きなども、鉄板２の上に磁石で押さえてとめておくことができる。
【００２５】
このように表示体４を表示した鉄板２は、最初から建具１に設けられた開口部に取付けられており、従来の額のように壁や鴨居等の新たな設置場所を必要としない。従って、限られた居住空間を有効活用することができる。
また、鉄板２の取り付け位置は建具１のすぐに手の届く高さであるため掃除が容易であり、従来の額のように鴨居に設置されたまま埃まみれになることがない。
更に、建具１の開口部に取付けた鉄板２の表裏は同様の構成になっているので、鉄板２の両面に表示体４を表示することができる。従って、建具１を部屋と部屋を仕切る襖として用いて、表裏それぞれの部屋の雰囲気に合わせて表示体４を選択し表示するとよい。
【００２６】
また、鉄板２の表面には装飾部材８を装着することができることから、建具１を使用する部屋の雰囲気に合わせて装飾部材８を選択したり、表示体４と装飾部材８の組み合わせを楽しむことにより美観を高めることができる。
【００２７】
次に、表示体４より大きめの透明シート５を用意して裏面の適当な位置に磁石７を固定し、表示体４の上から被せて磁力により鉄板２に吸着させる。これにより、表示体４の損傷を防止したり、特に写真を表示する場合に見られるような反り返りを防止したりすることができる。ここで透明シート５も表示体４と同様に裏面に固定された磁石７により鉄板２に吸着されるので額の表側から脱着できるため、表示体４の取替えの妨げになることはない。
【００２８】
なお、本実施例では透明シート５を裏面に固定した磁石７を介して鉄板に吸着させたが、図３に示すように建具１の開口部の四隅に差込み口９を設け、透明シート５の端部を差込み口９に差込むことにより固定する構成としてもよい。
【００２９】
また本実施例では建具１として紙および／又は木製部材で構成される襖に適用した例を示したが、これに限らず衝立やパネルにも適用可能である。また、材質についても紙製や木製のものに限らず、スチール製の建具にも適用させることができる。
【００３０】
また、本実施例では建具１に表裏いずれの面にも装着可能な額を一つだけ取付けているが、額の数は限定されるものではなく、図４に示すように大きさの異なる額を建具１の平面任意個所に複数取付けることも可能である。
更に、額の形状も四角形に限定されるものではなく、図５に示すように楕円形や六角形など自由にデザインすることが可能である。
【図面の簡単な説明】
【００３１】
【図１】本発明の実施形態に係る額付き建具を示す斜視図である。
【図２】図１のＡ−Ａ線拡大断面図である。
【図３】本発明の実施形態に係る別の額付き建具を示す斜視図である。
【図４】本発明の実施形態に係る別の額付き建具を示す斜視図である。
【図５】本発明の実施形態に係る別の額付き建具を示す斜視図である。
【符号の説明】
【００３２】
１  建具
２  鉄板
３  固定部材
４  表示体
５  透明シート
６  磁石
７  磁石
８  装飾部材
９  差し込み口
１０  引き手
【図１】
2005264617.tif 000003
【図２】
2005264617.tif 000004
【図３】
2005264617.tif 000005
【図４】
2005264617.tif 000006
【図５】
2005264617.tif 000007